(57)【要約】【課題】梱包材として本来有すべき、床材の揺動を抑制する緩衝材としての機能を損なうことなく、その梱包材で、様々な形状の床材に適用できる養生シートを形成する必要がある。【解決手段】  本発明による梱包材１１０は、浴室１０の洗い場を構成する床材１００を梱包する梱包材であって、床材の平面外形に対応した切り抜き線１２４が少なくとも一面に描かれ、切り抜き線に沿って切り抜かれた梱包材が床材の養生シート１２６となることを特徴としている。【選択図】図２
2008087802.tif 000002
【特許請求の範囲】
【請求項１】
浴室の洗い場を構成する床材を梱包する梱包材であって、
前記床材の平面外形に対応した切り抜き線が少なくとも一面に描かれ、
前記切り抜き線に沿って切り抜かれた梱包材が前記床材の養生シートとなることを特徴とする、梱包材。
【請求項２】
前記切り抜き線がなす形状は、前記床材の平面外形より所定幅小さく形成されることを特徴とする、請求項１に記載の梱包材。
【請求項３】
前記切り抜き線上に、ミシン目状の切り込みが形成されることを特徴とする、請求項１または２に記載の梱包材。
【請求項４】
前記切り抜き線が描かれる面の内側は、他の部分より厚く形成されることを特徴とする、請求項１〜３のいずれかに記載の梱包材。
【発明の詳細な説明】
【技術分野】
【０００１】
本発明は、浴室の洗い場を構成する床材を梱包する梱包材にかかり、養生シートとしても利用可能な梱包材に関するものである。
【背景技術】
【０００２】
浴室の内装を構築する際、作業者は、まず、パネル等の床材を敷設して床面を施工し、洗い場や浴槽その他の内装を装設する。その間、初期に施工した床面（床材）を、粉塵その他の汚れや装設に基づく損傷から保護するため、敷設された床材に養生シートを被着する。かかる養生シートは、合成樹脂からなるパネル等を繋げて形成でき、浴室の床面の形状に合わせて随時加工されていた。
【０００３】
このように、養生シートを別途に準備する手間を省くため、養生シートを床材の表面に予め貼着して、施工現場での工数削減および床材の損傷防止を図る技術が知られている（例えば、特許文献１）。
【０００４】
また、梱包材を、別体に形成された複数の部位を組み合わせて構成し、分解すると養生シートとしても利用できる技術も公開されている（例えば、特許文献２、３）。
【特許文献１】特開平１１−２７０１４０号公報
【特許文献２】特開２００１−００２１５８号公報
【特許文献３】特開２０００−１７７７８８号公報
【発明の開示】
【発明が解決しようとする課題】
【０００５】
しかし、上述した技術では、梱包材が複数の部位からなるため、その複数の部位を繋止するさらなる部材が必要となる。このような繋止による継合面では、張力も働かないため梱包材としての本来の機能も劣化している。
【０００６】
また、浴室のパネルは、ドアや階段といった定型ではなく、その浴室の床面形状や設置構成に応じて様々な外形に形成される。従って、上述した技術のように、梱包時において、内容物（パネル）の外形に応じた多種の部位を選んでその都度組み合わせていては、作業が繁雑になるといった問題があった。
【０００７】
本発明は、従来の梱包材が有する上記問題点に鑑みてなされたものであり、本発明の目的は、梱包材として本来有すべき、床材の揺動を抑制する緩衝材としての機能を損なうことなく、その梱包材で、様々な形状の床材に適用できる養生シートを形成可能な、新規かつ改良された梱包材を提供することである。
【課題を解決するための手段】
【０００８】
上記課題を解決するために、本発明のある観点によれば、浴室の洗い場を構成する床材を梱包する梱包材であって、床材の平面外形に対応した切り抜き線が少なくとも一面に描かれ、切り抜き線に沿って切り抜かれた梱包材が床材の養生シートとなることを特徴とする、梱包材が提供される。
【０００９】
本発明では、梱包材を養生シートとして利用することにより、養生シートを別途準備する手間を省くことができ、また、床材を敷設することにより必要なくなった梱包材を有効利用することができる。さらに、梱包材に切り抜き線を設ける構成により、養生シートの外形を、様々な外形に加工された床材の外形に正確に対応させることが可能となり、床面における突起物や床面に設けられた開孔溝等の障害物があったとしても、切り抜き線に沿って梱包材を切り抜くだけでその養生シートが障害物を容易に回避でき、障害物にあてがいながら加工してくといった手間のかかる作業を省略することが可能となる。
【００１０】
切り抜き線がなす形状は、自体（切り抜かれた梱包材）を床材に固定するため、床材の平面外形より所定幅小さく形成されるとしてもよい。
【００１１】
切り抜かれた梱包材（養生シート）と床材とが重畳しない領域は、例えば養生テープや粘着テープといった固定部材の糊代となる。養生シートを所定幅小さく形成することによって生じるこの領域により、切り抜かれた梱包材は、隣接する浴壁や他の床材と十分な距離を維持しつつ、作業者の移動による位置ずれが起きないように固定される。
【００１２】
切り抜き線上に、ミシン目状の切り込みが形成されるとしてもよい。
【００１３】
かかるミシン目は、梱包材の剛性を損なわない程度の切り込みであり、梱包材の切り抜きを案内および支援する。
【００１４】
切り抜き線が描かれる面の内側は、他の部分より厚く形成されるとしてもよい。
【００１５】
かかる構成により、養生シートとして利用する部分のみを養生シートの機能が損なわないように厚く形成でき、他の部分を梱包材としての機能を損なわない程度に薄く形成することができる。従って、最小限のコストで梱包機能および養生機能を遂行することが可能となる。
【発明の効果】
【００１６】
本発明によれば、梱包材としての機能を損なうことなく、その梱包材と兼用でき、様々な形状の床材に適用可能な養生シートを利用することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
本発明の実施形態にかかる梱包材は、養生シートと兼用され、浴室の床面を粉塵その他の汚れや損傷から保護する目的で利用される。養生シートの利用形態の理解を容易にするため、まず、浴室内の構造を説明する。
【００１９】
（浴室１０）
図１は、本実施形態の養生シートの利用形態を説明するための浴室１０の外観図である。かかる外観図も含め以下の実施形態に示す寸法、材料、その他具体的な数値などは、発明の理解を容易とするための例示に過ぎず、特に断る場合を除き、本発明を限定するものではない。
【００２０】
図１に示すように、浴室１０には、浴槽１２、洗い場となる床面１４、排水溝１６、水栓であるカラン１８およびシャワー２０、カラン１８の下方に設置されたカウンター２２、手摺りの例としてのサポートバー２４、扉２６が備えられている。床面１４は、樹脂からなる床材１００を敷設して形成される。カウンター２２は、洗面器などを載置するための台であって、その上面は膝下程度の高さになっている。カウンター２２の前面は、壁面よりも浴室中央部に向かって突出した位置に配置され、カウンター２２の下部は、壁面に向かって後退している。また、扉２６は浴室１０において浴槽１２の反対側に設けられている。
【００２１】
このような浴室１０を構築する内装の工事のため、工事の作業者は、まず、パネル等の床材１００を敷設して床面１４を施工し、その後、養生シートを被着する。作業者は、この養生シートの上で、床材１００に触れることなく浴槽その他の部位を搬入し、施工することが可能となる。以下、床材１００を梱包する梱包材１１０を説明する。
【００２２】
（梱包材１１０）
図２は、床材１００の梱包を示す斜視図である。図２では、床材１００上面を梱包材１１０が覆い、床材１００を保護している。
【００２３】
上記梱包材１１０は、段ボール等板形状に形成された緩衝材からなり、天井面内側脇に、発泡スチロール等の緩衝材から成る複数の保持部１２２が設けられている。その保持部１２２と梱包材１１０側面とで形成される空間には、床材１００にレール状に突出形成されが外郭１０２が嵌入される。
【００２４】
また、梱包材１１０の天井面外側には、床材１００の平面外形に対応した切り抜き線１２４が描かれている。この切り抜き線１２４に沿って梱包材１１０を切り抜くと、その切り取った部分が養生シート１２６となる。ここでは、包装材１１０の天井面外側に切り抜き線１２４が描かれる実施形態が記載されているが、当然、天井面内側に切り抜き線１２４を描いてもよい。この場合、梱包材１１０を床材１００から離脱するまで、その切り抜き線１２４の軌跡を隠蔽することができる。
【００２５】
図３は、床材１００に被せる養生シート１２６を示す斜視図である。上述したように養生シート１２６は、梱包材１１０の切り抜き線１２４に沿って、梱包材１１０の一部をカッターナイフ１２８等で切り抜くことによって生成される。このようにして切り取られた養生シート１２６は、様々な外形に加工された床材１００の外形に正確に対応させて形成することができる。
【００２６】
例えば、図３においては、養生シート１２６に凹部１３０が形成されている。かかる凹部１３０は、浴室内の排水溝１６に対応しており、かかる凹部１３０によって、排水溝１６内を工事する場合においても養生シート１２６を剥離する必要がない。また、床材１００や養生シート１２６の外形の凹凸は上述した凹部１３０のみに限られず、浴室１０の柱や浴槽といった内装物に嵌合するための様々な凹凸形状にも対応できる。
【００２７】
上述したように梱包材１１０を養生シート１２６として利用することにより、養生シート１２６を別途準備する手間を省き、また、床材１００を敷設することにより不要となった梱包材１１０を有効利用することができる。このように市販の養生シートを利用しないことで、不要な廃材の排出を低減することができる。
【００２８】
さらに、梱包材に切り抜き線１２４を設ける構成により、養生シート１２６の外形を、様々な外形に加工された床材の外形に正確に対応させることが可能となる。従って、床面１４への突起物や床面に設けられた開孔溝等の障害物があったとしても、切り抜き線１２４に沿って梱包材を切り抜くだけでその養生シート１２６が障害物を容易に回避でき、障害物にあてがいながら加工してくといった手間のかかる作業を省略することが可能となる。
【００２９】
このとき、養生シート１２６が不要であれば、梱包材１１０から切り抜かなければよいだけなので、梱包材１１０の部位がばらけることもなく、梱包材１１０を少容量に纏めて廃棄することができる。
【００３０】
また、このような切り抜き線１２４上に、ミシン目状の切り込みが形成されるとしてもよい。かかるミシン目は、梱包材の剛性を損なわない程度の切り込みであり、梱包材の切り抜きを案内および支援する。また、切り抜き線１２４をプレス等で圧縮して、切り取り易くすることも可能である。
【００３１】
このように切り抜かれた養生シート１２６は、浴室１０の洗い場を構成する床材１００に被着され、床材１００を、施工作業による粉塵その他の汚れや損傷から保護する。
【００３２】
図４は、浴室に養生シート１２６を被着した例を示した斜視図である。かかる図４を参照すると、浴室に床材１００としてのパネルが敷設され、その床材１００を梱包していた梱包材１１０から養生シートを切り抜き、上から被せている。このままでは、養生シート１２６上を作業者が移動することによって養生シート１２６の位置がずれてしまうため、養生シート１２６は、例えば養生テープや粘着テープといった固定部材１５０によって固定される。
【００３３】
従って、梱包材１１０の切り抜き線がなす形状（養生シート１２６の形状）は、床材１００の平面外形より所定幅小さく形成される。この養生シート１２６と床材１００とが重畳しない領域は、例えば、養生テープや粘着テープによる固定部材１５０の糊代となり、養生シート１２６と床材１００とに跨って固定部材１５０が貼着される。
【００３４】
養生シート１２６を所定幅小さく形成することによって生じるこの領域により、切り抜かれた梱包材１１０は、隣接する浴壁と十分な距離を維持しつつ、作業者の移動による位置ずれが起きないように固定される。また、浴室内に床材１００が複数敷設される場合、このような隣接する床材とも十分な距離を維持することができる。
【００３５】
従って、上記の所定幅は、固定部材１５０の幅や、浴壁や隣接する床材１００との間で必要な距離から決定されるとしてもよく、固定部材１５０による固定がなされない例えば凹部１３０には、上記所定幅を設けない、もしくは他の内装物と接触しない程度に設けるとすることができる。
【００３６】
また、梱包材１１０に描かれた切り抜き線１２４は、床材１００に正確に対応するように形成されているため、養生シート１２６の凹部１３０は、浴室１０の排水溝１６に正確に嵌合し、煩雑な再加工の手間をとることなく、円滑に内装工事を進めることが可能となる。
【００３７】
また、切り抜き線が描かれる面の内側は、他の部分より厚く形成されるとしてもよい。
【００３８】
図５は、床材１００に被せる他の養生シートの例を示す斜視図である。図５を参照すると、梱包材２１０の切り抜き線１２４が描かれる面の内側は、他の部分、例えば側面より厚みをもって形成される。梱包材２１０は、この点においてのみ上述した梱包材１１０と相異する。かかる厚みは、段ボールの厚みを単に増してもよいし、複数枚（例えば３枚）の段ボールを重畳して貼着されるとしてもよい。
【００３９】
このような厚みを増した梱包材２１０の切り抜き線１２４を切り抜いて形成された養生シート２２６は、厚みの分だけ外圧に対する耐性が増し、より養生シートとしての効果を向上させることができる。
【００４０】
かかる構成により、養生シート２２６として利用する部分のみを養生シートとしての機能が損なわないように厚く形成でき、他の部分を梱包材としての機能を損なわない程度に薄く形成することができる。従って、最小限のコストで梱包機能および養生機能を遂行することが可能となる。
【００４１】
上述したように、切り抜き線１２４は、床材１００を梱包した状態で観察できるところに描かれる。このように外観上切り抜き線が描かれていると、かかる梱包材１１０を養生シートとして利用できることを容易に把握することができ、また、直方体の板状に形成された梱包材の中に梱包されている床材１００がどのような形状であるかも容易に把握することができる。
【００４２】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、浴室の洗い場を構成する床材を梱包する梱包材にかかり、養生シートとしても利用可能な梱包材に適用可能である。
【図面の簡単な説明】
【００４４】
【図１】本実施形態の養生シートの利用形態を説明するための浴室の外観図である。
【図２】床材の梱包を示す斜視図である。
【図３】床材に被せる養生シートを示す斜視図である。
【図４】浴室に養生シートを被着した例を示した斜視図である。
【図５】床材に被せる他の養生シートの例を示す斜視図である。
【符号の説明】
【００４５】
１００  床材
１１０、２１０  梱包材
１２４、３２４  切り抜き線
１２６、３２６  養生シート
１５０  固定部材
【図１】
2008087802.tif 000003
【図２】
2008087802.tif 000004
【図３】
2008087802.tif 000005
【図４】
2008087802.tif 000006
【図５】
2008087802.tif 000007